(57)【要約】【課題】吸込具において、吸込具の前方隅部における塵埃を、効率よく集塵すること。【解決手段】吸込具本体１の下部に設けられ下方に吸込口８を有する吸込室９と、吸込具本体１の後方に設けられたパイプ６と、吸込具本体１の天面内側と吸込室９の天面外側との間に設けられた風路１３と、風路１３の前方に設けられ吸込室９と風路１３とを連通する開口部１４と、風路１３と連通するように風路１３の後方に設けられ外気を吸引する送風装置１５とを備え、送風装置１５は、吸込口８から外気を吸引し、風路１３を介して開口部１４から排気する構成とした。これにより、送風装置１５により安定した排気風力を開口部１４に供給でき、開口部１４を吸込室９内部の前方に配置したことにより、前隅の塵埃は開口部から排気される風と吸込室９内部に発生する吸引風によりパイプ６側に送り出され、吹き飛ばすことなく効率よく集塵することができるようになる。【選択図】図１
2008054716.tif 000002
【特許請求の範囲】
【請求項１】
塵埃を吸い込むための吸込具本体と、前記吸込具本体の下部に設けられ下方に吸込口を有する吸込室と、前記吸込具本体の後方に設けられたパイプと、前記吸込具本体の天面内側と前記吸込室の天面外側との間に設けられた風路と、前記風路の前方に設けられ前記吸込室と風路とを連通する開口部と、前記風路と連通するように風路の後方に設けられ外気を吸引する送風装置とを備え、前記送風装置は、前記吸込具本体の外部から外気を吸引し、前記風路を介して前記開口部から排気するように構成した吸込具。
【請求項２】
塵埃を吸い込むための吸込具本体と、前記吸込具本体の下部に設けられ下方に吸込口を有する吸込室と、前記吸込室内の前方に回転自在に設けられた回転ブラシと、前記吸込具本体の後方に設けられたパイプと、前記吸込具本体の天面内側と前記吸込室の天面外側との間に設けられた風路と、前記回転ブラシの回転中心より前方の風路に設けられ前記吸込室と風路とを連通する開口部と、前記風路と連通するように風路の後方に設けられ外気を吸引する送風装置とを備え、前記送風装置は、前記吸込具本体の外部から外気を吸引し、前記風路を介して前記開口部から排気するように構成した吸込具。
【請求項３】
開口部を複数個設け、前記開口部にそれぞれ導入できるように風路を分割して構成した請求項１または２記載の吸込具。
【請求項４】
風路の縦断面の開口面積を吸込具本体の前方に向かうにつれて狭まるように構成した請求項１〜３のいずれか１項記載の吸込具。
【請求項５】
請求項１〜４のいずれか１項記載の吸込具を用いた電気掃除機。
【発明の詳細な説明】
【技術分野】
【０００１】
本発明は、電気掃除機用の吸込具に関するものであり、特に前側隅部におけるゴミ取れ性能に関するものである。
【背景技術】
【０００２】
従来、この種の吸込具は、以下に示すものが一般的であった。すなわち、図４に示すように連通管１８を介して掃除機本体と接続する吸込具本体１９と、前記吸込具本体１９の底面前方に形成され前記連通管と連通する吸込口２０と、前記吸込口２０の近傍に配置され、上部に空気取入口を有し、清掃面側に噴出口を有する通風路２１とを備える電気掃除機用の吸込具において、前記通風路２１はその横断面積が前記噴出口に向かって徐々に狭まるように構成されていた（例えば、特許文献１参照）。
【特許文献１】特開平１１−８９７６７号公報
【発明の開示】
【発明が解決しようとする課題】
【０００３】
しかしながら上記従来の電気掃除機用の吸込具では、噴射口により床面に近接した部分に空気を当てる構成なので、噴射口から噴出された空気により塵埃が飛び散り、吸引風によって集塵できないものを撒き散らしてしまうという課題があった。
【０００４】
本発明は、前記従来の課題を解決するもので、前隅の塵埃が吹き飛ばされることがなく、効率よくパイプ側に送り出すことができる電気掃除機用の吸込具を提供することを目的とする。
【課題を解決するための手段】
【０００５】
上記課題を解決するために本発明は、塵埃を吸い込むための吸込具本体と、前記吸込具本体の下部に設けられ下方に吸込口を有する吸込室と、前記吸込具本体の後方に設けられたパイプと、前記吸込具本体の天面内側と前記吸込室の天面外側との間に設けられた風路と、前記風路の前方に設けられ前記吸込室と風路とを連通する開口部と、前記風路と連通するように風路の後方に設けられ外気を吸引する送風装置とを備え、前記送風装置は、前記吸込具本体の外部から外気を吸引し、前記風路を介して前記開口部から排気するように構成したものである。
【０００６】
上記発明によれば送風装置により安定した排気風力を開口部に供給でき、開口部を吸込室内部の前方に配置したことにより、前隅の塵埃は開口部から排気される風と吸込室内部に発生する吸引風によりパイプ側に送り出され、吹き飛ばすことなく効率よく集塵することができる。
【発明の効果】
【０００７】
本発明の吸込具は、吸込具本体前方隅部の塵埃を、外部へ吹き飛ばすことなく、効率よく集塵することができるようになる。
【発明を実施するための最良の形態】
【０００８】
第１の発明は、塵埃を吸い込むための吸込具本体と、前記吸込具本体の下部に設けられ下方に吸込口を有する吸込室と、前記吸込具本体の後方に設けられたパイプと、前記吸込具本体の天面内側と前記吸込室の天面外側との間に設けられた風路と、前記風路の前方に設けられ前記吸込室と風路とを連通する開口部と、前記風路と連通するように風路の後方に設けられ外気を吸引する送風装置とを備え、前記送風装置は、前記吸込具本体の外部から外気を吸引し、前記風路を介して前記開口部から排気するように構成した。
【０００９】
そして、送風装置により安定した排気風力を開口部に供給でき、開口部を吸込室内部の前方に配置したことにより、前隅の塵埃は開口部から排気される風と吸込室内部に発生する吸引風によりパイプ側に送り出され吹き飛ばすことなく効率よく集塵することができる。
【００１０】
第２の発明は、塵埃を吸い込むための吸込具本体と、前記吸込具本体の下部に設けられ下方に吸込口を有する吸込室と、前記吸込室内の前方に回転自在に設けられた回転ブラシと、前記吸込具本体の後方に設けられたパイプと、前記吸込具本体の天面内側と前記吸込室の天面外側との間に設けられた風路と、前記回転ブラシの回転中心より前方の風路に設けられ前記吸込室と風路とを連通する開口部と、前記風路と連通するように風路の後方に設けられ外気を吸引する送風装置とを備え、前記送風装置は、前記吸込具本体の外部から外気を吸引し、前記風路を介して前記開口部から排気するように構成した。
【００１１】
そして、送風装置により安定した排気風力を開口部に供給でき、開口部を吸込室内部の前方で、回転ブラシの回転中心より前方に配置したことにより、前隅の塵埃は開口部から排気される風と吸込室内部に発生する吸引風によりパイプ側に送り出され吹き飛ばすことなく効率よく集塵することができる。また、回転ブラシの機械力も加わることでより前隅の集塵能力を向上できるものである。
【００１２】
第３の発明は、第１または第２の発明の開口部を複数個設け、前記開口部にそれぞれ導入できるように風路を分割して構成した。
【００１３】
そして、複数の開口部に各々の風路を形成することで負圧が均等化され、開口部に発生する排気風力を均一化することにより集塵能力を高めることができ、前方の塵埃を効率よく集塵することができる。
【００１４】
第４の発明は、第１〜第３のいずれか１つの発明の風路の縦断面の開口面積を吸込具本体の前方に向かうにつれて狭まるように構成した。
【００１５】
そして、開口部付近で縦断面積を狭めることでオリフィス効果により風速を向上さて開口部からの吸引風力を高めることができるので前側の塵埃を効率よく集塵することができる。
【００１６】
第５の発明は、第１〜第４のいずれか１つの発明の吸込具を用いた電気掃除機としたので、送風装置により安定した排気風力を開口部に供給でき、開口部を吸込室内部の前方に配置したことにより、前隅の塵埃は開口部から排気される風と吸込室内部に発生する吸引風によりパイプ側に送り出され吹き飛ばすことなく効率よく集塵する電気掃除機を提供することができる。
【００１７】
以下、本発明の実施の形態について、図面を参照しながら説明する。なお、この実施の形態によって本発明が限定されるものではない。
【００１８】
（実施の形態１）
図１は本発明の第１の実施の形態の吸込具を示す中央縦断面図、図２は同吸込具の上部材を外した平面図、図３は同吸込具を装着した電気掃除機の全体斜視図である。
【００１９】
図１〜図３において、１は吸込具本体であり吸込具本体１は電気掃除機２に、ホース３、延長管４を介して接続される。ホース３および延長管４は内部が中空になっており、電気掃除２の後方に配置されている電動送風機５によって内部の空気が吸気、排出されることにより真空状態になり負圧がかかることで吸引風を発生させるものである。
【００２０】
吸込具本体１の前後方向に対する後方部、略中央付近には前後もしくは左右に回動自在に保持されたパイプ６が設置されている。パイプ６は内部が中空状になっており、その一方を、延長管４ないしホース３を介して電気掃除５と接続される。他方は吸込具本体１内部に接続され、吸込具本体１内部で接続された開口を吸引口７としてある。
【００２１】
一方、吸込具本体１の底面は下方に開口する吸込口８を有し、吸込口８と吸引口７を繋ぎ、吸込具本体１内部に形成される空間部を吸込室９として構成されている。
【００２２】
吸込室９内部には吸込口８に臨み、かつ吸込室９内側前壁に到達する位置に回転自在に軸支された回転ブラシ１０が設けられている。回転ブラシ１０はパイプ６が設置されている左右どちらか、もしくは同軸上に構成された駆動源１１により動力を伝達されて回転運動をするように構成されている。一般的にパイプ６の左右どちらか一方に駆動源１１を配置した場合には、回転ブラシ１０と駆動源１１はベルト１２により張架されている。また、駆動源１１には電動機（モーター）やタービンなどを使用されることが一般的である。
【００２３】
吸込具本体１の天面と吸込室９の上部との間に囲まれる空間部を風路１３として設置してある。吸込室９は略円筒状に形成してあり、風路１３も円筒状面に沿うように形成し、風路１３の縦断面形状を吸込具１の前方部に向かって狭まるように形成してある。風路１３は吸込室９と連通できるように吸込室９の前方部に複数の開口を開口部１４として設けてある。開口部１４は回転ブラシ１０の回転軸中心より前方にあり、吸込室９の内側前壁に沿うようにして開口してある。また、開口部１４は吸込具１の長手方向に対して３箇所以上開けることが望ましく、場所は吸込具１の長手方向に対して中央部および左右両端部に形成する。
【００２４】
複数の開口部１４には各々に風路１３が形成されており、吸込具１に対して後方部分にあたる場所で各風路１３が集結されるように形成されている。風路１３は後方部分で一箇所に集められ、各開口部１４に分岐されるように形成されている。
【００２５】
一方、駆動源１１は回転ブラシ１０を駆動させるとともに送風装置１５も駆動させるようになっている。送風装置１５はシロッコファンやターボファン、プロペラファンなどの送風羽１６と、吸引した空気を排気するための排気経路１７から構成されており、送風羽１６は駆動源１１に取り付けられている。また、構造によって送風羽１６は駆動源１１とは別の駆動源により駆動される構造でもよい。その場合、送風装置１５には駆動源が追加される。
【００２６】
風路１３が集結した先は排気経路１７と連通している。これにより、風路１３は排気経路１７と開口部１４によってひとつの流路を形成する。
【００２７】
次に動作、作用について説明すると、電気掃除２を運転することにより電動送風機５が動き、電動送風機５の前方の空気を吸気し、後方に排出されることにより真空状態になり負圧がかかることで吸引風を発生させる。この負圧はホース３、延長管４を通じて吸込具本体１に伝えられる。発生した負圧は吸込具本体１では吸引風となり被掃除面上の塵埃を吸引することができる。
【００２８】
負圧は、先ずパイプ６を通じて、吸引口７、吸込室９を通して吸込口８に伝達される。主に塵埃は吸込口８から集塵されることになる。
【００２９】
回転ブラシ１０は駆動源１１が電動機であった場合には電気掃除機２より電源の供給を受け回転駆動することができる。また、タービンだった場合には負圧により発生する吸引風によりタービンが駆動して、その動力が伝達される。回転ブラシ１０は回転動作することにより被掃除面を機械力によって掻き出し、磨きの動作を加えて塵埃を集塵するものである。回転ブラシ１０によって集塵された塵埃は吸込室９を通じて吸引されることになる。
【００３０】
送風装置１５は駆動源１１の動作とともに作動して送風羽１６が動作することにより吸込口８から外気を吸引し、排気経路１７を介して排気風を風路１３に送り込む。
【００３１】
開口部１４を介して吸込室９内部に排気風が流れ込むことにより吸込室の負圧は低下して吸着を防ぐとともに、前側に排気風を当てることで塵埃を押し出して、高まった負圧による吸引風により一気に集塵し、かつ回転ブラシ１０の機械力も加えることで強力に吸込具本体１前方の塵埃を集塵することで掃除性能を向上することができるものである。
【００３２】
尚、本実施の形態において、送風装置１５は、吸込口８から外気を吸引する構成としたが、これに限られるものではなく、吸込具本体１の天面等、吸込具本体１の外部のどこから外気を吸引しても問題ないものである。
【産業上の利用可能性】
【００３３】
以上のように本発明に係る吸込具は、送風装置により安定した排気風力を開口部に供給でき、開口部を吸込室内部の前方に配置したことにより、前隅の塵埃は開口部から排気される風と吸込室内部に発生する吸引風によりパイプ側に送り出され吹き飛ばすことなく効率よく集塵することができ、電気掃除機に幅広く適用できる。
【図面の簡単な説明】
【００３４】
【図１】本発明の実施の形態１における吸込具の縦断面図
【図２】同、吸込具の上部材を外した状態の平面図
【図３】同、吸込具を装着した電気掃除機の全体斜視図
【図４】従来の吸込具の縦断面図
【符号の説明】
【００３５】
１    吸込具本体
６    パイプ
８    吸込口
９    吸込室
１０  回転ブラシ
１３  風路
１４  開口部
１５  送風装置
【図１】
2008054716.tif 000003
【図２】
2008054716.tif 000004
【図３】
2008054716.tif 000005
【図４】
2008054716.tif 000006